(57)【要約】【課題】施設訪問時の訪問施設の情報を含めた投稿記事の投稿を支援する「車載システム」を提供する。【解決手段】自動チェックイン処理部１２３は、自動車の駐車が発生したときに、現在位置がナビゲーション部１２１に設定されている目的地である場合には、ＳＮＳクライアント１２２に、目的地として設定されている施設がＳＮＳサーバ３にスポットとして登録されているかどうかを調べさせると共に、登録されている場合には、当該施設をチェックインスポットとして指定した投稿記事をＳＮＳサーバ３に投稿させる。一方、登録されていない場合には、ＳＮＳクライアント１２２に、目的地として設定されている施設をスポットとしてＳＮＳサーバ３に新規登録させた上で、当該施設をチェックインスポットとして指定した投稿記事をＳＮＳサーバ３に投稿させる。【選択図】図１
2013238412.tif 000002
【特許請求の範囲】
【請求項１】
自動車に搭載される車載システムであって、
訪問施設を表す訪問情報を含む投稿記事の受け付けと公開を行うＳＮＳ（social networking service）を提供するＳＮＳサーバに、前記投稿記事を投稿するＳＮＳクライアントと、
現在位置の算出と目的地として設定された施設までの経路案内を行うナビゲーション部と、
自動投稿処理部とを備え、
前記自動投稿処理部は、
前記自動車の駐車の発生を検出する駐車発生検出部と、
前記駐車発生検出部が前記駐車の発生を検出したときに、前記現在位置が前記目的地に相当する位置であった場合に、前記目的地として設定されている施設を対象施設として、前記ＳＮＳクライアントに、当該対象施設を前記訪問施設として表す訪問情報を含む投稿記事を前記ＳＮＳサーバに投稿させる自動投稿制御部とを有することを特徴とする車載システム。
【請求項２】
請求項１記載の車載システムであって、
ＳＮＳサーバには、複数の施設がスポットとして登録されており、かつ、前記ＳＮＳサーバは前記ＳＮＳクライアントから登録を要求された施設をスポットとして追加登録する機能を有し、
前記ＳＮＳクライアントが前記投稿記事に含める訪問情報は、前記ＳＮＳサーバに登録されている前記スポットのうちの前記訪問施設に相当するスポットを表すものであり、
前記自動投稿制御部は、前記対象施設を前記訪問施設として表す訪問情報を含む投稿記事の前記ＳＮＳサーバへの投稿を行わせる前に、前記ＳＮＳクライアントに、前記対象施設が、前記ＳＮＳサーバに前記スポットとして登録されているかどうかを調べさせると共に、登録されていない場合には、前記ＳＮＳクライアントに、前記ＳＮＳサーバに対する前記対象施設の登録の要求を行わせて前記ＳＮＳサーバに前記対象施設をスポットとして登録させることを特徴とする車載システム。
【請求項３】
請求項１または２記載の車載システムであって、
前記自動投稿制御部は、前記駐車発生検出部が前記駐車の発生を検出したときに、前記目的地が設定されていない場合、および、前記現在位置が前記目的地に相当する位置でなかった場合に、前記現在位置付近の施設をユーザに提示して、提示した施設のうちからの施設の選択をユーザから受け付け、選択を受け付けた施設を対象施設として、前記ＳＮＳクライアントに、当該対象施設を前記訪問施設として表す訪問情報を含む投稿記事を前記ＳＮＳサーバに投稿させることを特徴とする車載システム。
【請求項４】
請求項３記載の車載システムであって、
前記自動投稿制御部は、前記駐車発生検出部が前記駐車の発生を検出したときに、前記目的地が設定されていない場合、および、前記現在位置が前記目的地に相当する位置でなかった場合に、前記現在位置周辺の地図を表示し、表示した地図上で、ユーザから施設の選択を受け付けることを特徴とする車載システム。
【請求項５】
自動車に搭載される車載システムであって、
訪問施設を表す訪問情報を含む投稿記事の受け付けと公開を行うＳＮＳ（social networking service）を提供するＳＮＳサーバに、前記投稿記事を投稿するＳＮＳクライアントと、
現在位置を算出する現在位置算出部と、
自動投稿処理部とを備え、
前記自動投稿処理部は、
前記自動車の駐車の発生を検出する駐車発生検出部と、
前記駐車発生検出部が前記駐車の発生を検出したときに、前記現在位置周辺の地図を表示し、表示した地図上で、ユーザから施設の選択を受け付け、選択を受け付けた施設を対象施設として、前記ＳＮＳクライアントに、当該対象施設を前記訪問施設として表す訪問情報を含む投稿記事を前記ＳＮＳサーバに投稿させる自動投稿制御部とを有することを特徴とする車載システム。
【請求項６】
請求項５記載の車載システムであって、
前記ＳＮＳサーバには、複数の施設がスポットとして登録されており、かつ、前記ＳＮＳサーバは前記ＳＮＳクライアントから登録を要求された施設をスポットとして追加登録する機能を有し、
前記ＳＮＳクライアントが前記投稿記事に含める訪問情報は、前記ＳＮＳサーバに登録されている前記スポットのうちの前記訪問施設に相当するスポットを表すものであり、
前記自動投稿制御部は、前記対象施設を前記訪問施設として表す訪問情報を含む投稿記事の前記ＳＮＳサーバへの投稿を行わせる前に、前記ＳＮＳクライアントに、前記対象施設が、前記ＳＮＳサーバに前記スポットとして登録されているかどうかを調べさせると共に、登録されていない場合には、前記ＳＮＳクライアントに、前記ＳＮＳサーバに対する前記対象施設の登録の要求を行わせて前記ＳＮＳサーバに前記対象施設をスポットとして登録させることを特徴とする車載システム。
【請求項７】
請求項１、２、３、４、５または６記載の車載システムであって、
前記駐車発生検出部は、前記自動車のＡＣＣ電源の断がユーザから指示されたときに、前記自動車の駐車の発生を検出することを特徴とする車載システム。
【請求項８】
請求項１、２、３、４、５または６記載の車載システムであって、
前記駐車発生検出部は、前記自動車のトランスミッションがパーキングロック状態に変化したときに、前記自動車の駐車の発生を検出することを特徴とする車載システム。
【請求項９】
請求項１、２、３、４、５または６記載の車載システムであって、
前記駐車発生検出部は、前記自動車のパーキングブレーキが制動位置に変化したときに、前記自動車の駐車の発生を検出することを特徴とする車載システム。
【請求項１０】
請求項１、２、３、４、５、６、７、８または９記載の車載システムであって、
前記自動投稿制御部は、前記ＳＮＳクライアントに、前記ＳＮＳサーバに投稿する投稿記事に所定の定型文のメッセージを含めることを特徴とする車載システム。
【請求項１１】
自動車に搭載されるコンピュータによって実行されるコンピュータプログラムであって、
当該コンピュータプログラムは、前記コンピュータを、
訪問施設を表す訪問情報を含む投稿記事の受け付けと公開を行うＳＮＳ（social networking service）を提供するＳＮＳサーバに、前記投稿記事を投稿するＳＮＳクライアントと、
現在位置の算出と目的地として設定された施設までの経路案内を行うナビゲーション部と、
自動投稿処理部として機能させ、
前記自動投稿処理部は、
前記自動車の駐車の発生を検出する駐車発生検出部と、
前記駐車発生検出部が前記駐車の発生を検出したときに、前記現在位置が前記目的地に相当する位置であった場合に、前記ＳＮＳクライアントに、前記目的地として設定されている施設を対象施設として、当該対象施設を前記訪問施設として表す訪問情報を含む投稿記事を前記ＳＮＳサーバに投稿させる自動投稿制御部とを有することを特徴とすることを特徴とするコンピュータプログラム。
【請求項１２】
請求項１１記載のコンピュータプログラムであって、
ＳＮＳサーバには、複数の施設がスポットとして登録されており、かつ、前記ＳＮＳサーバは前記ＳＮＳクライアントから登録を要求された施設をスポットとして追加登録する機能を有し、
前記ＳＮＳクライアントが前記投稿記事に含める訪問情報は、前記ＳＮＳサーバに登録されている前記スポットのうちの前記訪問施設に相当するスポットを表すものであり、
前記自動投稿制御部は、前記対象施設を前記訪問施設として表す訪問情報を含む投稿記事の前記ＳＮＳサーバへの投稿を行わせる前に、前記ＳＮＳクライアントに、前記対象施設が、前記ＳＮＳサーバに前記スポットとして登録されているかどうかを調べさせると共に、登録されていない場合には、前記ＳＮＳクライアントに、前記ＳＮＳサーバに対する前記対象施設の登録の要求を行わせて前記ＳＮＳサーバに前記対象施設をスポットとして登録させることを特徴とするコンピュータプログラム。
【請求項１３】
請求項１１または１２記載のコンピュータプログラムであって、
前記自動投稿制御部は、前記目的地が設定されていない場合、および、前記現在位置が前記目的地に相当する位置でなかった場合に、前記現在位置付近の施設をユーザに提示して、提示した施設のうちからの施設の選択をユーザから受け付け、選択を受け付けた施設を対象施設として、前記ＳＮＳクライアントに、当該対象施設を前記訪問施設として表す訪問情報を含む投稿記事を前記ＳＮＳサーバに投稿させることを特徴とするコンピュータプログラム。
【請求項１４】
請求項１３記載のコンピュータプログラムであって、
前記自動投稿制御部は、前記駐車発生検出部が前記駐車の発生を検出したときに、前記目的地が設定されていない場合、および、前記現在位置が前記目的地に相当する位置でなかった場合に、前記現在位置周辺の地図を表示し、表示した地図上で、ユーザから施設の選択を受け付けることを特徴とするコンピュータプログラム。
【請求項１５】
自動車に搭載されるコンピュータによって実行されるコンピュータプログラムであって、
前記コンピュータを、
訪問施設を表す訪問情報を含む投稿記事の受け付けと公開を行うＳＮＳ（social networking service）を提供するＳＮＳサーバに、前記投稿記事を投稿するＳＮＳクライアントと、
現在位置を算出する現在位置算出部と、
自動投稿処理部とをして機能させ、
前記自動投稿処理部は、
前記自動車の駐車の発生を検出する駐車発生検出部と、
前記駐車発生検出部が前記駐車の発生を検出したときに、前記現在位置周辺の地図を表示し、表示した地図上で、ユーザから施設の選択を受け付け、選択を受け付けた施設を対象施設として、前記ＳＮＳクライアントに、当該対象施設を前記訪問施設として表す訪問情報を含む投稿記事を前記ＳＮＳサーバに投稿させる自動投稿制御部とを有することを特徴とするコンピュータプログラム。
【請求項１６】
請求項１５記載のコンピュータプログラムであって、
前記ＳＮＳサーバには、複数の施設がスポットとして登録されており、かつ、前記ＳＮＳサーバは前記ＳＮＳクライアントから登録を要求された施設をスポットとして追加登録する機能を有し、
前記ＳＮＳクライアントが前記投稿記事に含める訪問情報は、前記ＳＮＳサーバに登録されている前記スポットのうちの前記訪問施設に相当するスポットを表すものであり、
前記自動投稿制御部は、前記対象施設を前記訪問施設として表す訪問情報を含む投稿記事の前記ＳＮＳサーバへの投稿を行わせる前に、前記ＳＮＳクライアントに、前記対象施設が、前記ＳＮＳサーバに前記スポットとして登録されているかどうかを調べさせると共に、登録されていない場合には、前記ＳＮＳクライアントに、前記ＳＮＳサーバに対する前記対象施設の登録の要求を行わせて前記ＳＮＳサーバに前記対象施設をスポットとして登録させることを特徴とするコンピュータプログラム。
【発明の詳細な説明】
【技術分野】
【０００１】
本発明は、ＳＮＳ（social networking service）への訪問施設の投稿を支援する技術に関するものである。
【背景技術】
【０００２】
ＳＮＳ（social networking service）としては、各ユーザからテキストや画像を含む記事の投稿を受け付け、投稿を受け付けた記事を、他のユーザに公開するサービスが知られている（たとえば、特許文献１）。
また、サーバにおいて、現在位置の情報を含めた投稿記事を作成するクライアントから投稿を受け付け、投稿を受け付けた投稿記事を当該投稿記事に含まれる現在位置の情報と共に他のユーザに公開するサーバも知られている（たとえば、特許文献２）。
【先行技術文献】
【特許文献】
【０００３】
【特許文献１】特開２００７-３２３３１１号公報
【特許文献２】特開２００４-０８６６１８号公報
【発明の概要】
【発明が解決しようとする課題】
【０００４】
上述したＳＮＳによれば、ＳＮＳクライアントのユーザが、自身が訪問した施設を投稿記事によって公開したい場合には、ＳＮＳクライアントのユーザは、投稿記事の作成や、投稿記事に含める自身が訪問した施設を指定する煩雑な操作を行う必要がある。一方で、ＳＮＳクライアントが自動車の車載システムに実装されたものである場合には、自動車の駐車時に当該駐車地点近くにＳＮＳクライアントのユーザの訪問施設が存在すると推定することができる。
【０００５】
そこで、本発明は、本発明は、ＳＮＳクライアントを備えた車載システムにおいて、施設訪問時に訪問施設の情報を含めた投稿記事を投稿する際の、ユーザの煩雑な操作の必要性を軽減することを課題とする。
【課題を解決するための手段】
【０００６】
前記課題達成のために、本発明は、自動車に搭載される車載システムに、訪問施設を表す訪問情報を含む投稿記事の受け付けと公開を行うＳＮＳ（social networking service）を提供するＳＮＳサーバに、前記投稿記事を投稿するＳＮＳクライアントと、現在位置の算出と目的地として設定された施設までの経路案内を行うナビゲーション部と、自動投稿処理部とを備えたものである。ただし、前記自動投稿処理部は、前記自動車の駐車の発生を検出する駐車発生検出部と、前記駐車発生検出部が前記駐車の発生を検出したときに、前記現在位置が前記目的地に相当する位置であった場合に、前記目的地として設定されている施設を対象施設として、前記ＳＮＳクライアントに、当該対象施設を前記訪問施設として表す訪問情報を含む投稿記事を前記ＳＮＳサーバに投稿させる自動投稿制御部とを備えている。
【０００７】
このような車載システムによれば、ユーザが目的地として設定した施設に到着して自動車を駐車させると、当該到着した施設を訪問施設として表す訪問情報を含む投稿記事が自動的に前記ＳＮＳサーバに投稿されるようになる。
ここで、このような車載システムは、ＳＮＳサーバに、複数の施設がスポットとして登録されており、かつ、ＳＮＳサーバが前記ＳＮＳクライアントから登録を要求された施設をスポットとして追加登録する機能を有するものであって、前記ＳＮＳクライアントが前記投稿記事に含める訪問情報は、前記ＳＮＳサーバに登録されている前記スポットのうちの前記訪問施設に相当するスポットを表すものである場合には、前記自動投稿制御部において、前記対象施設を前記訪問施設として表す訪問情報を含む投稿記事の前記ＳＮＳサーバへの投稿を行わせる前に、前記ＳＮＳクライアントに、前記対象施設が、前記ＳＮＳサーバに前記スポットとして登録されているかどうかを調べさせると共に、登録されていない場合には、前記ＳＮＳクライアントに、前記ＳＮＳサーバに対する前記対象施設の登録の要求を行わせて前記ＳＮＳサーバに前記対象施設をスポットとして登録させるように構成してもよい。
【０００８】
このような車載システムによれば、ユーザが目的地として設定した施設に到着して自動車を駐車させると、当該到着した施設がスポットとしてＳＮＳサーバに登録されていない場合であっても、自動的に、当該施設をＳＮＳサーバに自動的にスポットとして登録した上で、当該施設に相当するスポットを表す訪問情報を含む投稿記事を前記ＳＮＳサーバに投稿することができる。
【０００９】
また、このような車載システムは、前記自動投稿制御部において、前記駐車発生検出部が前記駐車の発生を検出したときに、前記目的地が設定されていない場合、および、前記現在位置が前記目的地に相当する位置でなかった場合に、前記現在位置付近の施設をユーザに提示して、提示した施設のうちからの施設の選択をユーザから受け付け、選択を受け付けた施設を対象施設として、前記ＳＮＳクライアントに、当該対象施設を前記訪問施設として表す訪問情報を含む投稿記事を前記ＳＮＳサーバに投稿させるように構成してもよい。また、この場合には、前記自動投稿制御部において、前記駐車発生検出部が前記駐車の発生を検出したときに、前記目的地が設定されていない場合、および、前記現在位置が前記目的地に相当する位置でなかった場合に、前記現在位置周辺の地図を表示し、表示した地図上で、ユーザから施設の選択を受け付けるようにしてもよい。
【００１０】
このようにすることにより、ユーザが自動車を駐車させた地点が、前記目的地でない場合であっても、ユーザは、提示された現在位置付近の施設のうちから訪問する施設を指定するだけで、当該施設を訪問施設として表す訪問情報を含む投稿記事を前記ＳＮＳサーバに投稿することができるようになる。
【００１１】
また、前記課題達成のために、本発明は、自動車に搭載される車載システムに、訪問施設を表す訪問情報を含む投稿記事の受け付けと公開を行うＳＮＳ（social networking service）を提供するＳＮＳサーバに、前記投稿記事を投稿するＳＮＳクライアントと、現在位置を算出する現在位置算出部と、自動投稿処理部とを備えると共に、前記自動投稿処理部を、前記自動車の駐車の発生を検出する駐車発生検出部と、前記駐車発生検出部が前記駐車の発生を検出したときに、前記現在位置周辺の地図を表示し、表示した地図上で、ユーザから施設の選択を受け付け、選択を受け付けた施設を対象施設として、前記ＳＮＳクライアントに、当該対象施設を前記訪問施設として表す訪問情報を含む投稿記事を前記ＳＮＳサーバに投稿させる自動投稿制御部とを有するものとしたものである。
【００１２】
ここで、このような車載システムは、前記ＳＮＳサーバには、複数の施設がスポットとして登録されており、かつ、前記ＳＮＳサーバが前記ＳＮＳクライアントから登録を要求された施設をスポットとして追加登録する機能を有し、前記ＳＮＳクライアントが前記投稿記事に含める訪問情報は、前記ＳＮＳサーバに登録されている前記スポットのうちの前記訪問施設に相当するスポットを表すものである場合には、前記自動投稿制御部において、前記対象施設を前記訪問施設として表す訪問情報を含む投稿記事の前記ＳＮＳサーバへの投稿を行わせる前に、前記ＳＮＳクライアントに、前記対象施設が、前記ＳＮＳサーバに前記スポットとして登録されているかどうかを調べさせると共に、登録されていない場合には、前記ＳＮＳクライアントに、前記ＳＮＳサーバに対する前記対象施設の登録の要求を行わせて前記ＳＮＳサーバに前記対象施設をスポットとして登録させるように構成してもよい。
【００１３】
これらのような車載システムによれば、ユーザは訪問する施設近くに自動車を駐車させた後、表示された地図上で訪問する施設を指定するだけで、当該施設を訪問施設として表す訪問情報を含む投稿記事を前記ＳＮＳサーバに投稿することができるようになる。
【００１４】
ここで、以上の各車載システムは、前記駐車発生検出部において、前記自動車のＡＣＣ電源の断がユーザから指示されたとき、または、前記自動車のトランスミッションがパーキングロック状態に変化したときに、または、前記自動車のパーキングブレーキが制動位置に変化したときに、前記自動車の駐車の発生を検出するように構成してもよい。
【００１５】
また、以上の各車載システムは、前記自動投稿制御部において、前記ＳＮＳクライアントに、前記ＳＮＳサーバに投稿する投稿記事に所定の定型文のメッセージを含めさせるように構成してもよい。
【発明の効果】
【００１６】
以上のように、本発明によれば、ＳＮＳクライアントを備えた車載システムにおいて、施設訪問時に訪問施設の情報を含めた投稿記事を投稿する際の、ユーザの煩雑な操作の必要性を軽減することができる。
【図面の簡単な説明】
【００１７】
【図１】本発明の実施形態に係る車載システムの構成を示すブロック図である。
【図２】本発明の実施形態に係る地図データベースを示す図である。
【図３】本発明の実施形態に係るＳＮＳサーバの構成を示すブロック図である。
【図４】本発明の実施形態に係る自動チェックイン処理を示すフローチャートである。
【図５】本発明の実施形態に係る車載システムの表示画面の例を示す図である。
【発明を実施するための形態】
【００１８】
以下、本発明の実施形態について説明する。
図１に本実施形態に係る車載システムの構成を示す。
車載システムは、自動車に搭載されるシステムであり、図示するように、車載システム１は、操作部１０１、表示装置１０２、ＧＰＳ受信機１０３、自動車の各種状態を検出する車両状態センサ１０４、記憶装置１０５、移動体通信装置１０６を備えている。また、車載システム１は、以上の各デバイスとの間の入出力の制御や、アプリケーションの実行を制御するオペレーティングシステム１１０を備えている。そして、車載システム１は、このようなオペレーティングシステム１１０上で稼働するアプリケーションでとして、ナビゲーション部１２１とＳＮＳ（social networking service）クライアント１２２と、自動チェックイン処理部１２３とを備えている。
ここで、車両状態センサが検出する自動車の状態としては、自動車の車速や角速度などの走行状態の他、自動車のシフトレバーの位置やトランスミッションのシフト状態やパーキングブレーキの位置やパーキングブレーキの制動状態やイグニッションキーのキー位置や電源制御状態などがある。
【００１９】
なお、車載システム１は、ハードウエア的には、マイクロプロセッサや、メモリや、その他の周辺デバイスを有する一般的な構成を備えたコンピュータを用いて構成され、この場合、以上に示した車載システム１のオペレーティングシステム１１０やアプリケーションは、マイクロプロセッサが予め用意されたプログラムを実行することにより具現化するプロセスとして実現されるものであって良い。また、この場合、このようなプログラムは、記録媒体や適当な通信路を介して、車載システム１に提供されるものであって良い。
【００２０】
ここで、車載システム１のＳＮＳクライアント１２２は、移動体通信装置１０６を介してインターネット２と、インターネット２に接続したＳＮＳサーバ３にアクセスすることができる。
次に記憶装置１０５には、地図データベースが予め記憶されている。そして、地図データベースには、図２に示すように、地図を表す地図データとサービスデータとが格納されている。
そして、サービスデータは、各所の施設のそれぞれについて設けた施設レコードを含む。また、施設レコードには、施設に対して一意に与えた施設識別子、施設のレストランや、観光施設、公園などの種別を表す施設種別、施設の名称である施設名称、施設の経緯度座標を表す施設座標、施設の住所を表す施設住所、施設の電話番号、その他の施設に関する各種情報である施設詳細説明が格納されている。
【００２１】
次に、車載システム１のナビゲーション部１２１は、このように記憶装置１０５に記録されている地図データを用いて、ＧＰＳ受信機１０３や車両状態センサ１０４を利用した、自車の現在位置の算出や、ユーザからの目的地の設定の受け付けや、設定された目的地までのルートの探索や、図５ａに示すような、現在位置周辺の地図５０１上に現在位置や現在の前方方向を表すマーク５０２や目的地を表すマーク５０３や目的地までのルート５０４を表したナビゲーション画像５００の生成や表示装置１０２への表示などを行う。
【００２２】
なお、ナビゲーション部１２１は、目的地の設定の受け付けを、地図上での目的地とする地点の指定の受け付けによって行う他、サービスデータを利用した形態によっても行う。
すなわち、ナビゲーション部１２１は、ユーザの指定した地域や施設種別や施設名称などに関する検索条件にマッチする施設レコードの施設名称の一覧を表示装置１０２に表示し、一覧中から選択された施設名称の施設レコードの施設座標を目的地として設定する。
【００２３】
以下、ＳＮＳサーバ３と車載システム１のＳＮＳクライアント１２２について説明する。
図３に示すように、ＳＮＳサーバ３は、スポットデータベース３１と、アカウントデータベース３２と、投稿記事データベース３３と、ＳＮＳ提供部３４を備えている。
そして、スポットデータベース３１は、スポットとして登録された各施設毎に、施設名称を表すスポット名称と、施設の座標を表すスポット座標が登録されている。
また、アカウントデータベース３２には、ＳＮＳサーバ３の登録ユーザであるアカウント毎に、当該アカウントのアカウント名や当該アカウントのメールアドレスやパスワードなどの登録情報、当該アカウントを表すアイコンとして用いる画像であるアバターや、当該アカウントからの限定公開が設定された投稿記事を公開する他のアカウントである友達や、当該アカウントが投稿記事を購読する他のアカウントであるフォローが登録されている。
【００２４】
そして、投稿記事データベース３３には、アカウント毎に、当該アカウントがＳＮＳクライアント用いてＳＮＳサーバ３に投稿した投稿記事の各々が投稿記事データとして蓄積されている。
また、各投稿記事データは、投稿記事の投稿日時と、投稿記事に含まれるチェックインスポットと、投稿記事に含まれるテキストであるメッセージとが含まれる。チェックインスポットとは、アカウントが投稿記事の投稿時にスポットデータベース３１に登録されているスポットのうちから選択して、投稿記事にその指定を含めたスポットであり、通常は、投稿時点のアカウントの現在位置する施設がチェックインスポットとして指定される。
【００２５】
次に、ＳＮＳ提供部３４は、投稿受け付けサービス部３４１、登録タイムライン提供サービス部３４２、チェックインサービス部３４３とを含んでいる。
そして、投稿受け付けサービス部３４１は、ＳＮＳのアカウントからＳＮＳクライアント１２２を用いてＳＮＳサーバ３に投稿された投稿記事を受け付け、投稿記事データとして投稿記事データベース３３に格納する。ここで、投稿記事は上述のようにチェックインスポットを含むことができる。
【００２６】
また、登録タイムライン提供サービス部３４２は、投稿記事データベース３３に蓄積されている投稿記事データに基づいて、各ＳＮＳクライアント１２２に、当該ＳＮＳクライアント１２２のアカウントや、当該ＳＮＳクライアント１２２のアカウントがフォローを登録している他のアカウントが投稿した投稿記事のメッセージやチェックインスポットを、アバターや投稿アカウントや投稿日時と共に、投稿日時が最新のものより時系列に上から下へ並べたリストであるタイムラインを生成して配信したり、各ＳＮＳクライアント１２２に、当該ＳＮＳクライアント１２２が閲覧を指定した他のアカウントが投稿した投稿記事のメッセージやチェックインスポットを、アバターや投稿アカウントや投稿日時と共に、投稿日時が最新のものより時系列に上から下へ並べたリストであるタイムラインを生成して配信する処理を行う。
【００２７】
次に、チェックインサービス部３４３は、ＳＮＳクライアント１２２が、投稿記事に含めるチェックインスポットの指定に用いるチェックインリストの提供や、ＳＮＳクライアント１２２の新規スポットの登録を支援する処理などを行う。
まず、チェックインサービス部３４３が行うチェックインリストの提供の処理について説明する。
ＳＮＳクライアント１２２はユーザからチェックインの指示を受け付けると、現在位置の座標などを参照座標に設定し、参照座標を指定したスポットリストの要求をＳＮＳサーバ３に発行する。ＳＮＳサーバ３のチェックインサービス部３４３は、ＳＮＳクライアント１２２から参照座標を指定したスポットリストの要求を受け取ると、スポットデータベース３１から、指定された参照座標周辺のスポット座標を有するスポット名称を抽出し、抽出したスポット名称の一覧をスポットリストとしてＳＮＳクライアント１２２に応答する。一方、スポットリストを受け取ったＳＮＳクライアント１２２は、スポットリストを表示し、スポットリスト中からのスポットの選定をユーザから受け付け、選定されたスポットをチェックインスポットとして投稿記事中に含める。また、ＳＮＳクライアント１２２は、メッセージの入力を選択的に受け付けて投稿記事に含める。そして、ＳＮＳクライアント１２２は、ユーザから投稿が指示されたならば、投稿記事をＳＮＳサーバ３に送信することにより投稿する。
【００２８】
次に、ＳＮＳクライアント１２２の新規スポットの登録を支援する処理について説明する。
ＳＮＳクライアント１２２はユーザから新規スポットとして追加する施設の座標を地図上でスポット座標として受け付けると、次に、ユーザから、新規スポットのスポット名称の入力を受け付ける。そして、受け付けたスポット座標とスポット名称とを含む、新規スポット登録要求をＳＮＳサーバ３に発行する。ＳＮＳサーバ３のチェックインサービス部３４３は、ＳＮＳクライアント１２２から新規スポット登録要求を受け取ると、スポットデータベース３１に新規スポットのエントリを作成し、作成した新規スポット登録要求に含まれるスポット名称とスポット座標を登録する。
【００２９】
以下、車載システム１の自動チェックイン処理部１２３が行う自動チェックイン処理について説明する。
図４に、この自動チェックイン処理の手順を示す。
図示するように、自動チェックイン処理部１２３は、自動チェックイン処理において、入力装置を介したユーザの自動チェックイン指示操作の発生（ステップ４０２）と、自動車の駐車の発生（ステップ４０４）とを監視する。
ここで、自動車の駐車の発生は、車両状態センサ１０４が検出しているイグニッションキーのキー位置もしくは自動車電源制御状態がＡＣＣ（アクセサリ電源）がオンの状態からオフの状態に変化したことを表しているときに検出する。ただし、自動車の駐車の発生は、車両状態センサ１０４が検出しているシフトレバー位置やシフト状態が、トランスミッションがパーキングロック状態に変化したことを表しているときや、車両状態センサ１０４が検出しているパーキングブレーキ位置やパーキングブレーキの制動状態が、パーキングブレーキが制動状態に変化したことを表しているときに検出するようにしてもよい。
【００３０】
そして、自動チェックイン指示操作（ステップ４０２）か、自動車の駐車（ステップ４０４）が発生したならば、自動車が目的地に到着しているかどうかを判定する（ステップ４０６）。ここで、この判定は、ナビゲーション部１２１において、目的地が設定されており、かつ、現在位置が目的地近傍の位置である場合に、自動車が目的地に到着していると判定する。
【００３１】
そして、自動車が目的地に到着していると判定されなかった場合には（ステップ４０６）、ステップ４０８に進む。
一方、自動車が目的地に到着していると判定された場合には（ステップ４０６）、目的地となっている施設の施設座標と施設名称が既知であるかどうかを判定する（ステップ４１２）。ここで、目的地が上述のようにサービスデータを利用した形態によって目的地とする施設を受け付けることにより設定されたものである場合には、サービスデータの当該施設の施設レコードに登録されている施設座標と施設名称が、目的地となっている施設の既知の施設座標と施設名称となる。
【００３２】
そして、目的地となっている施設の施設座標と施設名称が既知であれば（ステップ４１２）、当該施設座標を訪問スポット座標、当該施設名称を訪問スポット名に設定し（ステップ４１４）、ステップ４１６に進む。
一方、目的地となっている施設の施設名称が既知でなければ（ステップ４１２）、ステップ４０８に進む。
そして、以上のようにして、ステップ４０６またはステップ４１２からステップ４０８に進んだならば、図５ｂに示すように、ナビゲーション部１２１にナビゲーション画面に含める現在位置周辺の地図５０1を拡大表示させ、ユーザからカーソル５１１を用いた、ナビゲーション画面の地図５０1上に表されているいずれかの施設の選択を受け付ける。そして、選択を受け付けた施設の施設レコードに登録されている施設座標を訪問スポット座標、当該施設レコードに登録されている施設名称を訪問スポット名に設定し（ステップ４１０）、ステップ４１６に進む。
【００３３】
次に、このようにしてステップ４１４またはステップ４１０からステップ４１６に進んだならば、訪問スポット座標をスポット座標、訪問スポット名をスポット名称としてもつスポットがＳＮＳサーバ３に登録されているかどうかを調べる。すなわち、ＳＮＳクライアント１２２に、訪問スポット座標を参照座標に設定した、上述のスポットリストの要求をＳＮＳサーバ３に発行させることにより、訪問スポット座標周辺のスポットのスポットリストを取得する。そして、スポットリスト中に、訪問スポット名と一致もしくは極めて近似するスポット名称が含まれていれば、訪問スポット座標をスポット座標、訪問スポット名をスポット名称としてもつスポットがＳＮＳサーバ３に登録されていると判定する。
【００３４】
そして、訪問スポット座標をスポット座標、訪問スポット名をスポット名称としてもつスポットがＳＮＳサーバ３に登録されていると判定された場合には（ステップ４１６）ステップ４２０に進む。
一方、訪問スポット座標をスポット座標、訪問スポット名をスポット名称としてもつスポットがＳＮＳサーバ３に登録されていると判定されなかった場合には（ステップ４１６）、訪問スポット座標をスポット座標、訪問スポット名をスポット名称としてもつ新規スポットをＳＮＳサーバ３に登録した上で（ステップ４１８）、ステップ４２０に進む。ここで、ステップ４１８では、ＳＮＳクライアント１２２に、訪問スポット座標をスポット座標として含み、訪問スポット名をスポット名称として含む、上述の新規スポット登録要求をＳＮＳサーバ３に発行させることにより、新規スポットをＳＮＳサーバ３に登録する。
【００３５】
そして、以上のようにしてステップ４１６またはステップ４１８からステップ４２０に進んだならば、訪問スポット座標をスポット座標、訪問スポット名をスポット名称としてもつスポットすなわち、ステップ４１６で取得したスポットリストに含まれていた訪問スポット名と一致もしくは極めて近似するスポット名称のスポット、または、ステップ４１８で新規登録したスポットをチェックインスポットとして含む投稿記事を作成とＳＮＳサーバ３への投稿をＳＮＳクライアント１２２に行わせる。ここで、この投稿記事には、テキストであるメッセージは含めない。ただし、自動的に「今、到着」といったような定型文のテキストをメッセージとして含めるようにしてもよい。
【００３６】
そして、投稿記事の投稿を行ったならば（ステップ４２０）、車両状態センサ１０４が検出している自動車の電源制御状態がＡＣＣオフの位置である状態の発生（ステップ４２２）と、自動車の走行開始（ステップ４２４）とを監視する。
そして、自動車の電源制御状態がＡＣＣオフの位置である状態が発生したならば（ステップ４２２）、車載システム１の電源のオフを制御して自動チェックイン処理を終了する。
一方、自動車の走行開始が発生した場合には（ステップ４２４）、ステップ４０２からの処理に戻る。
以上、車載システム１の自動チェックイン処理部１２３が行う自動チェックイン処理について説明した。
ところで、以上の自動チェックイン処理のステップ４２０では、図５ｃに訪問スポット座標と訪問スポット名を施設座標と施設名称とする施設が目的地である場合について示し、図５ｄに訪問スポット座標と訪問スポット名を施設座標と施設名称とする施設がユーザから地図上で指定された施設である場合について示すように、チェックインの要否をユーザに問い合わせる問い合わせウインドウ５３０を表示装置１０２に表示し、チェックイン要を指示された場合にのみ投稿記事の作成と投稿を行うようにしてもよい。
【００３７】
以上、本発明の実施形態について説明した。
以上のように、本実施形態によれば、ユーザが目的地として設定した施設に到着して自動車を駐車させると、当該到着した施設をチェックインスポットとして含む投稿記事が自動的に前記ＳＮＳサーバ３に投稿されるようになる。また、到着した施設がスポットとしてＳＮＳサーバ３に登録されていない場合であっても、自動的に、当該施設をＳＮＳサーバ３に自動的にスポットとして登録した上で、当該施設をチェックインスポットとして含む投稿記事を前記ＳＮＳサーバ３に投稿することができる。また、ユーザが自動車を駐車させた地点が、目的地でない場合であっても、ユーザは、提示された現在位置付近の施設のうちから訪問する施設を地図上で指定するだけで、当該施設をチェックインスポットとして含む投稿記事を前記ＳＮＳサーバ３に投稿することができるようになる。
【００３８】
よって、本実施形態によれば、ＳＮＳクライアント１２２を備えた車載システム１において、施設訪問時の、訪問施設の情報を含めた投稿記事を投稿する際の、ユーザの煩雑な操作の必要性を軽減することができる。
なお、以上の実施形態では、車載システム１に移動体通信の機能を備えたが、車載システム１に移動体通信の機能を備えずに、当該車載システム１にスマートフォンなどの携帯通信装置を接続可能に構成し、車載システム１のＳＮＳクライアント１２２が携帯通信装置の移動体通信の機能を利用してＳＮＳサーバ３にアクセスするようにしてもよい。
【００３９】
または、以上の実施形態では、車載システム１にＳＮＳクライアント１２２と移動体通信の機能を備えたが、車載システム１にＳＮＳクライアント１２２と移動体通信の機能を備えずに、スマートフォンなどのＳＮＳクライアント１２２を備えた携帯通信装置を車載システム１に接続可能に構成し、車載システム１には、携帯通信装置のＳＮＳクライアント１２２と連携動作して、携帯通信装置のＳＮＳクライアント１２２のユーザインタフェースを車載システム１の表示装置１０２や操作部１０１を用いて提供するアプリケーションを設けるようにしてもよい。また、この場合には、車載システム１の自動チェックイン処理部１２３は、携帯通信装置のＳＮＳクライアント１２２と連携動作して、以上の自動チェックイン処理を行うようにする。
【００４０】
または、以上の車載システム１の機能をスマートフォンなどの携帯通信装置に統合し、携帯通信装置において以上の動作を、単体で行うようにしてもよい。
【符号の説明】
【００４１】
１…車載システム、２…インターネット、３…ＳＮＳサーバ、３１…スポットデータベース、３２…アカウントデータベース、３３…投稿記事データベース、３４…ＳＮＳ提供部、１０１…操作部、１０２…表示装置、１０３…ＧＰＳ受信機、１０４…車両状態センサ、１０５…記憶装置、１０６…移動体通信装置、１１０…オペレーティングシステム、１２１…ナビゲーション部、１２２…ＳＮＳクライアント、１２３…自動チェックイン処理部、３４１…投稿受け付けサービス部、３４２…登録タイムライン提供サービス部、３４３…チェックインサービス部、５００…ナビゲーション画像。
【図１】
2013238412.tif 000003
【図２】
2013238412.tif 000004
【図３】
2013238412.tif 000005
【図４】
2013238412.tif 000006
【図５】
2013238412.tif 000007